(57)【要約】【構成】巻枠９にアングルバー８が出没自在になるように切り欠きを設け、前記巻枠９内に筒体と筒体内に握りハンドル４と一体的に形成した送りネジ３を設け、前記送りネジ３の回転により２個以上のアングルバー８を押しリンク６と送りネジ３に螺合されたスライド部材５とで拡縮できるように設け、このアングルバー８を送りネジ３の回転により拡大状態にして巻枠９と拡大されたアングルバー８の外周に製袋時のトリミングにより生じる連続耳端をロール状に巻回し、アングルバー８を送りネジ３の逆回転により縮小状態にすることにより、連続耳端のロールを巻枠９から抜き取るようにしたコアレス巻取軸。【効果】拡縮できる巻取軸を簡単な構成で安価に得ることができる。また、巻き取った耳端と巻取軸が簡単に分離できるので、廃棄の際、燃えない物だけにして巻き取った状態にできるので、公害防止を行う上で良好である。【選択図】      図１
2004196508.tif 000002
【特許請求の範囲】
【請求項１】
巻枠にアングルバーが出没自在になるように切り欠きを設け、前記巻枠内に筒体と筒体内に握りハンドルと一体的に形成した送りネジを設け、前記送りネジの回転により２個以上のアングルバーを押しリンクと送りネジに螺合されたスライド部材とで拡縮できるように設け、このアングルバーを送りネジの回転により拡大状態にして巻枠と拡大されたアングルバーの外周に製袋時のトリミングにより生じる連続耳端をロール状に巻回し、アングルバーを送りネジの逆回転により縮小状態にすることにより、連続耳端のロールを巻枠から抜き取るようにしたことを特徴とする製袋時に生じる耳端を巻き取るコアレス巻取軸。
【発明の詳細な説明】
【０００１】
【発明の属する技術分野】
本発明は、紙菅のコアを用いずに製袋時に生じる耳端を巻取るコアレス巻取軸に関するものである。
【０００２】
【従来の技術】
従来技術では、図３に示すように製袋時のトリミングによる耳端の処理方法として、紙管１２による巻取りが一般的である。また、筒状軸体と筒状軸体内の膨張体と筒状軸体の外側における複数のリーフとを具備し、前記複数のリーフの各々は軸線方向に延びると共に、複数のリーフは円周方向におけるそれぞれの角度範囲を占めるように分割して配置され、前記膨張体の膨張時に前記リーフを半径外方に拡開させるように膨張体とリーフとを協働させる協働手段とを備え、このリーフ拡開状態においてその外周に連続シートをロール状に巻回し、膨張体の収縮により連続シートのロールを抜去しうるシート用巻取軸において、各リーフの軸線方向縁部はシャフト軸線に沿って円周方向にシフトされ、円周方向に隣接した一対のリーフの対向縁部は相補的に対向したことを特徴とする連続シート用コアレス巻取軸（例えば、特許文献１参照）が存在している。
【０００３】
【特許文献１】
特開２００２−１３７８５６号公報（特許請求の範囲の請求項１、図１、図２）
【０００４】
【発明が解決しようとする課題】
しかしながら、前記従来技術の紙管による巻取りと特開２００２−１３７８５６号公報における課題について述べる。先ず、図３に示す従来の紙管によるプラスチック袋の製袋時に生じるトリミングによる耳端の巻取りは、そのプラスチックフィルムの耳端が、紙管に巻き取られ一体化されているので、廃棄処分の際燃える物と、燃えない物に分別しなければならない。ところが、紙管だけを抜き取ることは困難で、結果的に巻き取られたロール状の耳端は、細く輪切りにして、紙管を取り除くものである。また、筒状軸体と筒状軸体内の膨張体と筒状軸体の外側における複数のリーフとを具備し、前記複数のリーフの各々は軸線方向に延びると共に、複数のリーフは円周方向におけるそれぞれの角度範囲を占めるように分割して配置され、前記膨張体の膨張時に前記リーフを半径外方に拡開させるように膨張体とリーフとを協働させる協働手段とを備えるという構成を有するが、紙管などのコアを用いることなしに真円形状に実質的に維持しつつ巻き取ることを目的のためにその真円を可能にする工夫を行った構造であり、大変複雑な形状の巻取軸で高価になってしまう。しかも、製袋時に生じる耳端のように廃棄するものを巻取る場合に使用するには、不経済であるという問題があった。
【０００５】
本発明は、このような事情に鑑み、巻枠にアングルバーが出没自在になるようにし、前記巻枠内に筒体と、筒体内に送りネジを設け、この送りネジの回転により機能するリンク機構でアングルバーを拡縮できるように設け、アングルバーを拡大状態で巻き取り、アングルバーを縮小状態にして巻き取られた連続耳端を巻取軸から抜き取ることができる製袋時に生じる耳端を巻取るコアレス巻取軸を提供することを目的とするものである。
【０００６】
【課題を解決するための手段】
本発明は、前記課題の解決を図ったもので、次のような技術手段を採用した。請求項１記載の発明においては、巻枠にアングルバーが出没自在になるように切り欠きを設け、前記巻枠内に筒体と筒体内に握りハンドルと一体的に形成した送りネジを設け、前記送りネジの回転により２個以上のアングルバーを押しリンクと送りネジに螺合されたスライド部材とで拡縮できるように設け、このアングルバーを送りネジの回転により拡大状態にして巻枠と拡大されたアングルバーの外周に製袋時のトリミングにより生じる連続耳端をロール状に巻回し、アングルバーを送りネジの逆回転により縮小状態にすることにより、連続耳端のロールを巻枠から抜き取るようにするという技術手段を採用した。
【０００７】
【発明の実施の形態】
図１において、本発明の一実施形態にかかる巻枠の一部に出没自在に設けたアングルバーを拡大状態にした所を示す一部断面にした横断面図（ａ）と縦断面図（ｂ）である。図２においては、本発明の巻枠の一部に出没自在に設けたアングルバーを縮小状態にした所を示す一部断面にした横断面図（ａ）と縦断面図（ｂ）である。図３は従来の巻取軸として紙管を採用したものを示す横断面図（ａ）と右側面図である。
【０００８】
ここで、本発明の一実施例を図１、図２に基づいて詳細に説明する。
駆動源（図示しない）により回転する回転軸１を図１、図２示すように円筒体２を固定し、この円筒体２の内部に送りネジ３を回転自在に設け、送りネジの一端部に握りハンドル４を固設する。さらに、送りネジ３には適宜部位に１ヶ所以上（本実施例では２ヶ所）にナット状のスライド部材４をネジ込んであり、このスライド部材４には、押しリンク５を上下に２ヶ所設け、円筒体２の上下に２ヶ所の前記押しリンク５が移動できるように開口孔６が穿設されているので、握りハンドル４の回動により矢印Ａ方向にスライド部材５が移動され、この移動により押しリンク６が伸びるように作動し、この押しリンク６に固設されたアングルバー８が拡伸される。
【０００９】
このアングルバー８は、巻枠９間に出没できるように配設されていて、しかも巻枠９に固設されたスプリング１０で常時縮むように作用させるように構成されている。このスプリング１０の縮む力に抗して、握りハンドル４で送りネジ３を回転させてスライド部材５、押しリンク６を介してアングルバー８と巻枠９を拡動させるようになっている。
なお、巻取時、アングルバー８の先端角部に巻枠９の枠面より多くの圧力が掛かり、縮める際には容易に縮径できるものである。なお、１１は巻枠９の両端に設けた規制円板である。
【００１０】
次に、図２に基づいて巻取り終了後、巻取り耳端を本発明の巻取軸から抜き取る場合の説明をする。
前記した巻き取る際に対して、握りハンドル４を逆転させて矢印Ｂ方向にスライド部材５、押しリンク６を開口孔７内で移動させると、押しリンク６が縮小し、巻枠９もスプリング１０によって縮小し、同時に巻枠９間に出張っていたアングルバー８が没っして結果的に縮径される。この際、スプリング１０が収縮作用が生じるので簡単に縮径でき、巻き取られた耳端は容易に取り除ける。これで、巻き取られた耳端と巻取軸は分離できるものである。
【００１１】
【発明の効果】
本発明は、以上の構成を採用した結果、次のような効果を得ることができる。（１）拡縮できる巻取軸を簡単な構成で安価に得ることができる。
（２）巻き取った耳端と巻取軸が簡単に分離できるので、廃棄の際、燃えない物だけにして巻き取った状態にできるので、公害防止を行う上で良好である。すなわち、燃えない物と燃える物とが分離できているものである。
【図面の簡単な説明】
【図１】本発明のコアレス巻取軸の実施例を示す拡大状態の横断面図（ａ）と縦断面図（ｂ）である。
【図２】本発明のコアレス巻取軸の実施例を示す縮小状態の横断面図（ａ）と縦断面図（ｂ）である。
【図３】従来の紙管を使用した巻取軸を示す横断面図である。
【符号の説明】
１‥‥回転軸                          ２‥‥円筒体
３・・・・送りネジ                        ４・・・・握りハンドル
５・・・・スライド部材                    ６・・・・押しリンク
７・・・・開口孔                          ８・・・・アングルバー
９・・・・巻枠                          １０・・・・スプリング
１１・・・・規制円板                      １２・・・・紙管
【図１】
2004196508.tif 000003
【図２】
2004196508.tif 000004
【図３】
2004196508.tif 000005